(57)【要約】【課題】フレコンバッグによる衝撃を受けても破損しにくく、ゴムバンドの交換も容易となる構成の改良材飛散防止装置とそれを備えた土質改良機を提供する。【解決手段】改良材飛散防止装置１１は、改良材を入れたフレコンバッグ２７をホッパ４内に投入した際にフレコンバッグ２７が破断具２５によって破断されることにより改良材が周囲に飛散することを防止する。ホッパ４の上部に設置される開口構造のキャンバス取付け枠１２の開口縁にキャンバス１４の周囲を固定して張り付ける。キャンバス１４の中央の開口部に多角形状または円状のリング１７を固定する。リング１７とキャンバス取付け枠１２との間に取付けられてリング１７を支持する複数本のゴムバンド２３を備える。【選択図】      図３
2004237991.tif 000002
【特許請求の範囲】
【請求項１】
改良すべき土砂に改良材を混合することにより、土質改良を行う装置の改良材投入用ホッパの上部に設置され、ホッパに投入されるフレコンバッグが破断具によって破断されることにより改良材が周囲に飛散することを防止する装置において、
ホッパに設置される開口構造のキャンバス取付け枠と、
該キャンバス取付け枠の開口縁に周囲を固定して張り付けられ、中央が開口されたキャンバスと、
該キャンバスの中央の開口部に固定された多角形状または円状のリングと、
該リングと前記キャンバス取付け枠との間に取付けられて前記リングを支持する複数本のゴムバンドとを備えたことを特徴とする改良材飛散防止装置。
【請求項２】
請求項１に記載の改良材飛散防止装置において、
前記キャンバスは前記キャンバス取付け枠の開口縁および前記リングにボルトにより着脱自在に固定され、
前記ゴムバンドは、前記キャンバス取付け枠および前記リングに設けたフックに両端を掛けて取付けられることを特徴とする改良材飛散防止装置。
【請求項３】
請求項１または２に記載の改良材飛散防止装置を備えたことを特徴とする土質改良機。
【発明の詳細な説明】
【０００１】
【発明の属する技術分野】
本発明は、土砂に改良材を混合して土質を改良する土質改良装置において、改良材を収容したフレコンバッグをホッパに投入する際に、粉体である改良材が飛散することを防止する改良材飛散防止装置をその装置を備えた土質改良機に関する。
【０００２】
【従来の技術】
道路工事や基礎工事あるいはガス管や上下水道管の埋設工事においては、土質が軟弱であるため、セメントや石灰等の改良材を加えて土質を適度な粒度、含水率、硬さにして埋め戻す必要がある場合がある。
【０００３】
このような土質改良を行う土質改良機には、据え付け式（定置式）の土質改良機と自走式のものとがある。据え付け式の土質改良機は、現場で掘削された改良すべき土砂を土質改良機が設置された場所まで輸送し、その土質改良機のある場所まで輸送されてきた土砂に改良材を混合し、その改良土砂を再度現場まで輸送して埋め戻す必要がある。
【０００４】
一方、自走式土質改良機は、現場に搬入可能であることから、このような輸送に要する手間、時間、経費を省略することができる。このような自走式土質改良機として例えば特許文献１に記載のものがある。この従来の自走式土質改良機は、車体の前方に改良すべき土砂を投入するホッパを設置し、中央部に改良材を蓄えておくホッパを搭載し、その下方に土砂と前記ホッパからの改良材とを混合する混合装置を設置し、混合装置より落下した改良土砂をコンベアにより車体の後方に搬出して集積させる構成を有している。
【０００５】
また、前記改良材を投入するホッパの中央には、フレコンバッグをクレーンによってホッパに投入する際にフレコンバッグを破断する破断具を中央に設置しており、破断により生じた改良材の粉末が周囲に飛散することを防止するため、布製のキャンバスと称される覆いをホッパに被せ、その中央部に矩形の開口部を設けてその開口部にゴムバンドを取付け、そのゴムバンドを収縮させてキャンバスを引き上げると共に、キャンバスを弛ませ、キャンバスの開口部の中央に、破断具を覗かせた構成を有している。そして、フレコンバッグを投入すると、内部の改良材の重みと衝撃で破断具によってフレコンバッグが破断されると同時に、ゴムバンドが伸びてキャンバスにフレコンバッグが密着したままでキャンバスが下降し、フレコンバッグ内の改良材がホッパ内に落ちる。ゴムバンドでなる開口部は、フレコンバッグの底部で塞がれているので、改良材が飛散することが防止される。
【０００６】
【特許文献１】
特開２００２−２７４７７７号公報。
【０００７】
【発明が解決しようとする課題】
上述した従来の改良材飛散防止装置は、フレコンバッグの投入によりフレコンバッグがキャンバス開口部のゴムバンドに直接衝突してこれを押し広げるので、ゴムバンドが衝撃によって破損しやすい上、破損あるいは劣化したゴムバンドを交換する作業が困難であるという問題点がある。
【０００８】
本発明は、上記問題点に鑑み、フレコンバッグによる衝撃を受けても破損しにくく、ゴムバンドの交換も容易となる構成の改良材飛散防止装置とそれを備えた土質改良機を提供することを目的とする。
【０００９】
【課題を解決するための手段】
（１）本発明の改良材飛散防止装置は、改良すべき土砂に改良材を混合することにより、土質改良を行う装置の改良材投入用ホッパの上部に設置され、改良材を入れたフレコンバッグをホッパ内に投入した際にフレコンバッグが破断具によって破断されることにより改良材が周囲に飛散することを防止する装置において、
ホッパに設置される開口構造のキャンバス取付け枠と、
該キャンバス取付け枠の開口縁に周囲を固定して張り付けられ、中央が開口されたキャンバスと、
該キャンバスの中央の開口部に固定された多角形状または円状のリングと、
該リングと前記キャンバス取付け枠との間に取付けられて前記リングを支持する複数本のゴムバンドとを備えたことを特徴とする。
【００１０】
（２）本発明の改良材飛散防止装置は、
前記キャンバスが前記キャンバス取付け枠の開口縁および前記リングにボルトにより着脱自在に固定され、
前記ゴムバンドは、前記キャンバス取付け枠および前記リングに設けたフックに両端を掛けて取付けられることを特徴とする。
【００１１】
（３）本発明の土質改良機は、前記改良材飛散防止装置を備えたことを特徴とする。
【００１２】
【発明の実施の形態】
図１は本発明の改良材飛散防止装置を適用する土質改良機の一実施の形態を示す側面図である。この土質改良機は、走行体１上に車体２を設置し、車体２の前部に土砂を投入するホッパ３を搭載する。また、ホッパ３より後方（本例では車体２の中央部）には、セメントや石灰等の改良材を蓄えておくホッパ４を搭載する。車体２の後部には油圧パワーユニット５を搭載する。
【００１３】
車体２におけるホッパ４の下方には定量供給装置６および必要に応じて加水装置７が設けられる。また、ホッパ４の下方には、定量供給装置６により供給される改良材と、土砂投入用ホッパ３の下方に設置されたコンベア８により供給される土砂と、前記加水装置７からの水または土質改良用溶液とを混合する混合装置９を設置する。前記定量供給装置６は、回転軸に例えば４枚の羽根を取付け、上面に位置する羽根の間に定量の改良材を収容してこれを回転させることにより、羽根が下面に向いた時にその羽根間の改良材を下方に落下させるもので、改良すべき土砂の軟弱度合等応じてその回転数を制御することにより、好適な硬さ、含水率、粒度の改良土砂が得られるようにしている。
【００１４】
前記混合装置９は、偶数本の回転軸９ａを併設し、各回転軸９ａにパドル９ｂを取付けたものであり、対をなす回転軸９ａを土砂が両者間に挟まる方向に回転させることにより、土砂と改良材さらには水等を導入口９ｃから入れてパドル９ｂにより混合し、排出口９ｄから排出するものである。
【００１５】
１０は混合装置９から排出される改良土砂を土質改良機の前方に搬出するためのコンベアである。該コンベア１０は、走行体１の左右のクローラ１ａ間に設置され、その後端は前記混合装置９の改良土砂の排出口９ｄの下に位置し、前端は土質改良機の前方に位置する。コンベア１０は改良土砂を後方に排出するように構成してもよい。
【００１６】
前記ホッパ４には改良材飛散防止装置１１が設けられる。図２はその改良材飛散防止装置１１の平面図、図３はその断面図である。１２はホッパ４に設置される開口構造のキャンバス取付け枠であり、該キャンバス取付け枠１２はホッパ４にボルト１３ａ、ナット１３ｂにより固定される。本例のキャンバス取付け枠１２は開口部１２ａの形状を円形にしているが、矩形でもよい。１２ｂは、開口部１２ａの縁に溶接されたリング状のキャンバス取付け部である。
【００１７】
１４は布製キャンバスであり、該キャンバス１４は、その周囲を、前記取付け部１２ｂの内側に設けるリング１２ｃとの間で挟み、該リング１２ｃとキャンバス１４と前記キャンバス取付け部１２ｂにそれぞれ設けた孔に貫通するボルト１５とこれに螺合するナット１６とにより締め付けて着脱自在に取付けられる。
【００１８】
１７は多角形または図示のような円形をなすリングであり、該リング１７はキャンバス１４の中央の開口部にボルト１８、ナット１９により着脱自在に取付けられる。該リング１７は鉄などの金属あるいは硬質樹脂により作製する。
【００１９】
前記キャンバス取付け枠１２の下面には複数本（図示例は４本）の支柱２０を溶接などにより一体に設けている。各支柱２０にはフック２１が溶接により固定され、前記リング１７の下面に等間隔に溶接によりフック２２が固定されており、これらのフック２１、２２のうち対応するものにそれぞれゴムバンド２３の両端を掛けてゴムバンド２３の張力によりリング１７を持ち上げ、キャンバス１４を弛ませた状態とする。
【００２０】
前記支柱２０間には平面視が十字形をなす破断具取付け枠２４が、その外端を溶接により固定して取付けられる。そして該破断具取付け枠２４の中心に、上端を尖鋭に形成した破断具２５がボルト２６により固定して着脱自在に取付けられる。該破断具２５は前記リング１７の中央に位置する。なお、この破断具２５はホッパ４側に取付けてもよい。
【００２１】
この装置において、図４に示すように、改良材が充填されたフレコンバッグ２７を不図示のクレーンにより吊り上げ、ホッパ４内に入れて破断具２５に落とすと、フレコンバッグ２７の中の改良材２９の重みによりフレコンバッグ２７の底部が破断具２５により破断されて下降すると共に、フレコンバッグ２７の底部がキャンバス１４上に載り、フレコンバッグ２７と共にリング１７およびキャンバス１４もゴムバンド２３の張力に抗して下降し、リング１７が破断具取付け枠２４上に載る。この時、リング１７がもとの位置より下降しているので、キャンバス１４の底部は傾斜し、フレコンバッグ２７内の中央部の改良材２９のみならず、底部傾斜面の改良材２９もホッパ４内に落下する。
【００２２】
このとき、フレコンバッグ２７の底部の破断により生じた穴の周囲は、フレコンバッグ２７およびその中の改良材２９の重みにより、矢印Ｐに示すようにキャンバス１４に圧接し、一方、ゴムバンド２３の収縮力により、キャンバス１４には押し上げ力が付与されるので、フレコンバッグ２７の底面はキャンバス１４に密着すると共に、キャンバス１４に設けられたリング１７は、破断具取付け枠２４に接触しているから、バスフレコンバッグ２７から出た粉塵状の改良材２９はフレコンバッグ２７とキャンバス１４との間を通過できず、矢印３１に示すような、フレコンバッグ２７とホッパ４との間の空間３０を上がることが防止され、ホッパ４の上方への飛散が防止される。
【００２３】
この改良材飛散防止装置１１においては、キャンバス１４の開口部にリング１７が取付けられており、この構造ではキャンバス１４の開口部にゴムバンド２３を貼り付けた場合に比較して破損しにくくなる。また、ゴムバンド２３が使用により劣化あるいは破損すると、古いゴムバンド２３をフック２１、２２から外し、新たなゴムバンド２３をフック２１、２２に掛けて取付ければよいため、ゴムバンド２３の交換が容易となる。また、キャンバス１４も取付け部１２ｂやリング１７にボルトにより着脱自在に取付けられるので、キャンバス１４の交換も容易となる。
【００２４】
本発明の改良材飛散防止装置は、自走式土質改良機のみならず、据え付け式の土質改良機にも適用できる。
【００２５】
【発明の効果】
本発明によれば、フレコンバッグによる衝撃を受けても破損しにくく、ゴムバンドの交換も容易となる。
【図面の簡単な説明】
【図１】本発明による改良材飛散防止装置を適用する土質改良機の一例を示す側面図である。
【図２】本発明の改良材飛散防止装置の一実施の形態を示す平面図である。
【図３】図２の改良材飛散防止装置を示す断面図である。
図である。
【図４】本実施の形態の改良材飛散防止装置の作用説明図である。
図である。
【符号の説明】
１：走行体、２：車体、３：土砂用ホッパ、４：改良材用ホッパ、５：油圧パワーユニット、６：定量供給装置、７：加水装置、８：コンベア、９：混合装置、１０：コンベア、１１：改良材飛散防止装置、１２：キャンバス取付け枠、１２ａ：開口部、１２ｂ：取付け部、１２ｃ：リング、１３：ボルト、１４：キャンバス、１５：ボルト、１６：ナット、１７：リング、１８：ボルト、１９：ナット、２０：支柱、２１、２２：フック、２３：ゴムバンド、２４：破断具取付け枠、２５：破断具、２６：ボルト、２７：フレコンバッグ、２９：改良材
【図１】
2004237991.tif 000003
【図２】
2004237991.tif 000004
【図３】
2004237991.tif 000005
【図４】
2004237991.tif 000006